(57)【要約】【課題】新規設計をすることなく、容易に大きさの異なるセンサに交換することができる【解決手段】識別ユニット２０は、紙幣を識別する第１のセンサと嵌合する取り付け穴２３ａ，２３ｂを有している。スペーサ２４ａ，２４ｂは、第１のセンサより小さい第２のセンサ２１ａ，２１ｂに装着されて、第２のセンサ２１ａ，２１ｂを取り付け穴２３ａ，２３ｂに嵌合可能とするスペーサである。これにより、第１のセンサは、直接取り付け穴２３ａ，２３ｂに装着できるとともに、第１のセンサより小さい第２のセンサ２１ａ，２１ｂは、スペーサ２４ａ，２４ｂを装着することによって、取り付け穴２３ａ，２３ｂに装着できるので、新規設計することなく、容易に大きさの異なるセンサに交換することができる。【選択図】        図１
2004157639.tif 000002
【特許請求の範囲】
【請求項１】
投入された紙幣を識別し収納する紙幣識別装置において、
紙幣を識別する第１のセンサと嵌合する取り付け穴を有する識別ユニットと、
前記第１のセンサより小さい第２のセンサに装着して、前記第２のセンサを前記取り付け穴に嵌合可能とするスペーサと、
を有することを特徴とする紙幣識別装置。
【請求項２】
前記第１のセンサ及び前記第２のセンサは、前記取り付け穴の最奥部に配置されているプリント基板と端子接続されることを特徴とする請求項１記載の紙幣識別装置。
【請求項３】
前記取り付け穴は、装着される前記第１のセンサ及び前記第２のセンサとの間に一部隙間を有することを特徴とする請求項１記載の紙幣識別装置。
【発明の詳細な説明】
【０００１】
【発明の属する技術分野】
本発明は紙幣識別装置に関し、特に自動販売機などにおいて投入された紙幣を識別して収納する処理を行う紙幣識別装置に関する。
【０００２】
【従来の技術】
自動販売機などにおいては、投入された紙幣を紙幣識別装置が識別して、正しく識別できた場合には収納し、正しく識別できなかった場合には返却するという処理を行っている。
【０００３】
紙幣識別装置は、自動販売機の正面の扉に内側から取り付けられるフレームユニット、フレームユニットに固定される、投入された紙幣の真贋判定を行う識別ユニット、及びフレームユニットに固定される、紙幣を収納する収納ユニットから構成されている。
【０００４】
識別ユニットは、その内部に、紙幣の特定の場所を識別するセンサが配置され、紙幣の真贋を判定している。識別ユニットは、真と判定した紙幣のみ、収納ユニットに収納する。
【０００５】
識別ユニット内部のセンサは、例えば、投入される紙幣によって汚れたり、自動販売機の設置される場所の環境状況下によって、寿命が異なったりする。また、センサは、その特徴が解析されて、偽紙幣が使用される場合もある。そのため、紙幣識別装置は、センサの清掃、交換などを度々行う必要がある。
【０００６】
そこで、センサの交換を容易にするため、センサ部をユニット化した紙幣識別装置がある。センサ部をユニット化し、識別ユニットに着脱自在とすることによって、容易にセンサの交換を行えるようにしている（例えば、特許文献１参照）。
【０００７】
【特許文献１】
特開平１０−３１７７４号公報（第３頁、第１図）
【０００８】
【発明が解決しようとする課題】
しかしながら、従来の紙幣識別装置では、大きさの異なるセンサに交換する場合、そのセンサの大きさに対応したユニットを新規設計しなければならず、交換が容易でないという問題点があった。
【０００９】
本発明はこのような点に鑑みてなされたものであり、新規設計をすることなく、容易に大きさの異なるセンサに交換できる紙幣識別装置を提供することを目的とする。
【００１０】
【課題を解決するための手段】
本発明では上記課題を解決するために、投入された紙幣を識別し収納する紙幣識別装置において、紙幣を識別する第１のセンサと嵌合する取り付け穴を有する識別ユニットと、前記第１のセンサより小さい第２のセンサに装着して、前記第２のセンサを前記取り付け穴に嵌合可能とするスペーサと、を有することを特徴とする紙幣識別装置が提供される。
【００１１】
このような紙幣識別装置によれば、取り付け穴に第１のセンサが装着できるとともに、第１のセンサより小さい第２のセンサにスペーサを装着することによって、第２のセンサも取り付け穴に装着できるので、新規設計をすることなく、容易に大きさの異なるセンサに交換できる。
【００１２】
【発明の実施の形態】
以下、本発明の実施の形態を図面を参照して説明する。
図２は、本発明による紙幣識別装置を示す斜視図、図３は、本発明による紙幣識別装置の開放状態の斜視図である。
【００１３】
図２，３に示すように、紙幣識別装置は、フレームユニット１０、識別ユニット２０、収納ユニット３０から構成されている。
フレームユニット１０は、自動販売機の正面の扉に内側から取り付けられるもので、紙幣が投入されるための投入口１１を有している。
【００１４】
識別ユニット２０は、フレームユニット１０の投入口１１から投入された紙幣の真贋判定、金種判定を行う。識別ユニット２０は、投入された紙幣の特定の場所を識別するセンサ２１ａ，２１ｂを有している。識別ユニット２０は、センサ２１ａ，２１ｂによって紙幣を識別し、紙幣の金種、真贋を判定している。そして、識別ユニット２０は、真と判定した紙幣を収納ユニット３０に収納する。贋と判定した紙幣を投入口１１に返却する。
【００１５】
また、識別ユニット２０は、清掃、詰まった紙幣の除去、又はセンサ２１ａ，２１ｂの交換などの保守作業が容易にできるよう、図３に示すように開閉できる構造になっている。識別ユニット２０は、閉じるように操作をしたとき、互いに固定されるラッチ部２２ａ，２２ｂを有している。識別ユニット２０は、ラッチ部２２ａ，２２ｂが合わさったときに、自動的にラッチが掛かって、開かないようになっている。そして、識別ユニット２０は、ラッチ部２２ａ，２２ｂを外すことにより、開くようになっている。
【００１６】
収納ユニット３０は、識別ユニット２０から搬送されてくる紙幣を収納する。収納ユニット３０は、清掃、詰まった紙幣の除去などの保守作業が容易にできるよう、図３に示すように開閉できる構造になっている。
【００１７】
図１は、スペーサ、センサ及び識別ユニットの正面側より示す斜視図である。図に示すように、識別ユニット２０は、センサ２１ａ，２１ｂが着脱されるための取り付け穴２３ａ，２３ｂを有している。取り付け穴２３ａ，２３ｂは、センサ２１ａ，２１ｂより大きいセンサ（後述説明）と嵌合する穴となっている。
【００１８】
スペーサ２４ａ，２４ｂは、センサ２１ａ，２１ｂに装着されて、センサ２１ａ，２１ｂを取り付け穴２３ａ，２３ｂに着脱可能とする。スペーサ２４ａ，２４ｂは、Ｌ字形状を有し、センサ２１ａ，２１ｂの隣接する２側面を支持するように装着される。また、スペーサ２４ａ，２４ｂは、その一面にセンサ２１ａ，２１ｂが有している端子２１ａａ，２１ｂａを通すための穴２４ａａ，２４ｂａを有している。スペーサ２４ａ，２４ｂが装着されたセンサ２１ａ，２１ｂは、取り付け穴２３ａ，２３ｂに、一部の隙間を除いて（後述詳細）、密接して嵌合するようになる。
【００１９】
図４は、識別ユニットの取り付け穴の正面図である。図に示すように、取り付け穴２３ａの左右内壁は、開口部から最奥部に向う溝２５ａ，２５ｂを有している。なお、取り付け穴２３ｂも同様に、左右内壁には開口部から最奥部に向う溝を有している。従って、スペーサ２４ａ，２４ｂを装着したセンサ２１ａ，２１ｂを、取り付け穴２３ａ，２３ｂに装着した場合、センサ２１ａ，２１ｂと取り付け穴２３ａ，２３ｂとの間には隙間が生じる。この隙間によって、センサ２１ａ，２１ｂを掴むことができ、例えばプライヤの先端を隙間に挿入し掴んで、取り付け穴２３ａ，２３ｂから抜き出すことができる。
【００２０】
また、図に示すように、取り付け穴２３ａ，２３ｂの最奥部には、プリント基板２６が設けられている。プリント基板２６は、センサ２１ａ，２１ｂの端子２１ａａ，２１ｂａと端子接続されるコネクタ２６ａを有している。センサ２１ａ，２１ｂの端子２１ａａ，２１ｂａは、センサ２１ａ，２１ｂにスペーサ２４ａ，２４ｂが装着されて、取り付け穴２３ａ，２３ｂに装着されると、コネクタ２６ａと端子接続されるようになっている。センサ２１ａ，２１ｂの端子２１ａａ，２１ｂａをコネクタ２６ａと端子接続することにより、配線作業を必要とせずに着脱できる。
【００２１】
図５は、センサと識別ユニットの正面側より示す斜視図である。
図に示すセンサ２７ａ，２７ｂは、図１に示したセンサ２１ａ，２１ｂより大きいセンサである。センサ２７ａ，２７ｂは、溝２５ａ，２５ｂ、取り付け穴２３ｂの溝を除いて、取り付け穴２３ａ，２３ｂと隙間なく嵌合する。センサ２７ａ，２７ｂは、センサ２１ａ，２１ｂと同様に、プライヤの先端が溝２５ａ，２５ｂの隙間に挿入され、掴まれることによって取り付け穴２３ａ，２３ｂから抜き出すことができる。また、センサ２７ａ，２７ｂは、端子２７ａａ，２７ｂａを有しており、取り付け穴２３ａ，２３ｂに装着すると同時に、上述したプリント基板２６のコネクタ２６ａと端子接続されるようになっている。
【００２２】
センサの装着、交換について説明する。センサ２１ａ，２１ｂを標準タイプの磁気センサとし、センサ２７ａ，２７ｂを大型の高機能タイプの磁気センサとする。
【００２３】
センサ２１ａ，２１ｂを識別ユニット２０に装着するには、図３に示したラッチ部２２ａ，２２ｂを外し、識別ユニット２０を開く。そして、図１に示すように、センサ２１ａ，２１ｂの端子２１ａａ，２１ｂａをスペーサ２４ａ，２４ｂの穴２４ａａ，２４ｂａに通して、センサ２１ａ，２１ｂにスペーサ２４ａ，２４ｂを装着する。スペーサ２４ａ，２４ｂを装着したセンサ２１ａ，２１ｂを、識別ユニット２０の取り付け穴２３ａ，２３ｂに装着する。なお、センサ２１ａ，２１ｂの識別ユニット２０の取り付け穴２３ａ，２３ｂの装着と同時に、センサ２１ａ，２１ｂの端子２１ａａ，２１ｂａは、プリント基板２６に設けられたコネクタ２６ａと接続される。そして、図３に示した識別ユニット２０のラッチ部２２ａ，２２ｂを合わせて識別ユニット２０を閉じる。
【００２４】
センサ２７ａ，２７ｂを装着する場合は、上記と同様に識別ユニット２０を開き、スペーサ２４ａ，２４ｂを装着せず、直接取り付け穴２３ａ，２３ｂに装着し、識別ユニット２０を閉じる。
【００２５】
保守作業などで、センサ２１ａ，２１ｂからセンサ２７ａ，２７ｂに交換する場合、図３に示したラッチ部２２ａ，２２ｂを外し、識別ユニット２０を開く。そして、溝２５ａ，２５ｂによる、センサ２１ａ，２１ｂと取り付け穴２３ａ，２３ｂとの隙間に、プライヤの先端を挿入して、センサ２１ａ，２１ｂを掴み抜き出す。スペーサ２４ａ，２４ｂを装着せず、直接センサ２７ａ，２７ｂを取り付け穴２３ａ，２３ｂに装着する。そして、図３に示した識別ユニット２０のラッチ部２２ａ，２２ｂを合わせて識別ユニット２０を閉じる。
【００２６】
センサ２７ａ，２７ｂからセンサ２１ａ，２１ｂに交換する場合は、上記と同様に識別ユニット２０を開いてセンサ２７ａ，２７ｂを抜き、センサ２１ａ，２１ｂにスペーサ２４ａ，２４ｂを装着して、取り付け穴２３ａ，２３ｂに装着する。そして、識別ユニット２０を閉じる。
【００２７】
このように、大きいセンサ２７ａ，２７ｂと嵌合する取り付け穴２３ａ，２３ｂを識別ユニット２０に設け、小さいセンサ２１ａ，２１ｂに装着して、このセンサ２１ａ，２１ｂを取り付け穴２３ａ，２３ｂに嵌合可能とするスペーサ２４ａ，２４ｂを備えるようにした。これにより、大きいセンサ２７ａ，２７ｂは、直接取り付け穴２３ａ，２３ｂに装着できるとともに、小さいセンサ２１ａ，２１ｂは、スペーサ２４ａ，２４ｂを装着することによって、取り付け穴２３ａ，２３ｂに装着できるので、新規設計をすることなく、容易に大きさの異なるセンサに交換することができる。
【００２８】
また、溝２５ａ，２５ｂによって、取り付け穴２３ａ，２３ｂと装着されるセンサとの間に隙間を設け、その隙間からセンサを掴むことができるようにしたので、容易にセンサを抜き出すことができる。
【００２９】
また、センサ２１ａ，２１ｂの端子２１ａａ，２１ｂａ、及びセンサ２７ａ，２７ｂの端子２７ａａ，２７ｂａをコネクタ２６ａと端子接続するようにしたので、配線作業を必要とせず容易に着脱できる。
【００３０】
さらに、紙幣が変更したときの対応や偽札の対策がすばやくできるようになる。
なお、センサ２７ａ，２７ｂは、磁気、及び光センサを組み合わせた高機能の複合タイプのセンサであってもよい。また、センサ２７ａ，２７ｂより小さい様々なセンサに対して、取り付け穴２３ａ，２３ｂに嵌合可能とするスペーサを備えておくことによって、様々な大きさのセンサも装着可能である。
【００３１】
【発明の効果】
以上説明したように本発明では、識別ユニットに第１のセンサと嵌合する取り付け穴を設け、第１のセンサより小さい第２のセンサに装着して、第２のセンサを取り付け穴に嵌合可能とするスペーサを設けることとした。これにより、第１のセンサは、直接取り付け穴に装着できるとともに、第２のセンサは、スペーサを装着することによって、取り付け穴に装着できるので、新規設計をすることなく、容易に大きさの異なるセンサに交換することができる。
【図面の簡単な説明】
【図１】スペーサ、センサ及び識別ユニットの正面側より示す斜視図である。
【図２】本発明による紙幣識別装置を示す斜視図である。
【図３】本発明による紙幣識別装置の開放状態を示す斜視図である。
【図４】識別ユニットの取り付け穴の正面図である。
【図５】センサと識別ユニットの正面側より示す斜視図である。
【符号の説明】
１０  フレームユニット
２０  識別ユニット
２１ａ，２１ｂ  センサ
２２ａ，２２ｂ  ラッチ部
２３ａ，２３ｂ  取り付け穴
２４ａ，２４ｂ  スペーサ
２５ａ，２５ｂ  溝
２６  プリント板
２６ａ  コネクタ
３０  収納ユニット
【図１】
2004157639.tif 000003
【図２】
2004157639.tif 000004
【図３】
2004157639.tif 000005
【図４】
2004157639.tif 000006
【図５】
2004157639.tif 000007